(57)【要約】【課題】視認性を調節できる記入体等を提供する。【解決手段】記入情報を記入する記入体において、空隙を有する複数のパターンを重ねることによって、記入情報に要求される視認性のレベルが調節され、記入情報が記入される記入領域ｒ１に、視認性のレベルに応じてパターンが予め作成される。【選択図】図６Ａ
2019064020.tif 000002
【特許請求の範囲】
【請求項１】
記入情報を記入する記入体において、
空隙を有する複数のパターンを重ねることによって、前記記入情報に要求される視認性のレベルが調節され、
前記記入情報が記入される記入領域に、前記視認性のレベルに応じて前記パターンが予め作成されたことを特徴とする記入体。
【請求項２】
請求項１に記載の記入体において、
前記パターンが、記号が並べられたパターンであることを特徴とする記入体。
【請求項３】
請求項１または請求項２に記載の記入体において、
前記パターンを構成する色が、前記記入情報に要求される視認性のレベルに応じて決定されたことを特徴とする記入体。
【請求項４】
請求項３に記載の記入体において、
前記パターンを構成する色が、前記記入領域を照らす照明手段の光の色と、前記記入情報に要求される視認性のレベルとに応じて決定されたことを特徴とする記入体。
【請求項５】
空隙を有し、記入情報を記入する記入体に作成されるパターンであって、
当該パターンを複数重ねることによって、前記記入情報に要求される視認性のレベルが調節され、
前記記入情報が記入される前記記入体の記入領域の前記視認性のレベルに応じて、前記視認性のレベルが調整された前記パターンを取得するパターン取得手段と、
前記記入領域に前記取得したパターンを有する記入体を作成する記入体作成手段と、
を備えたことを特徴とする記入体作成装置。
【請求項６】
空隙を有し、記入情報を記入する記入体に作成されるパターンであって、
当該パターンを複数重ねることによって、前記記入情報に要求される視認性のレベルが調節され、
パターン取得手段が、前記記入情報が記入される前記記入体の記入領域の前記視認性のレベルに応じて、前記視認性のレベルが調整された前記パターンを取得するパターン取得ステップと、
記入体作成手段が、前記記入領域に前記取得したパターンを有する記入体を作成する記入体作成ステップと、
を含むことを特徴とする記入体作成方法。
【請求項７】
空隙を有し、記入情報を記入する記入体に作成されるパターンであって、当該パターンを複数重ねることによって、前記記入情報に要求される視認性のレベルが調節されるパターンにおいて、
コンピュータを、
前記記入情報が記入される前記記入体の記入領域の前記視認性のレベルに応じて、前記視認性のレベルが調整された前記パターンを取得するパターン取得手段と、
前記記入領域に前記取得したパターンを有する記入体を作成する記入体作成手段として機能させることを特徴とする記入体作成装置用のプログラム。
【発明の詳細な説明】
【技術分野】
【０００１】
本発明は、記入情報を記入する記入体、記入体作成装置、記入体作成方法、および、記入体作成装置用のプログラムに関する。
【背景技術】
【０００２】
個人情報が含まれた紙媒体等の複数の書類の情報を電子データ化する際に作業者が介在して作業を行う場合、個人情報を隠したい場合がある。個人情報を隠す方法として、例えば、特許文献１には、印面に複数の文字を重ねて配置していて、複数の文字の一部の周囲に白抜き縁取り部を設けているとともに、互いに重なる文字のうち一方の白抜き縁取り部が他方の文字に優先して視認される形状に印面を形成するスタンプが開示されている。
【先行技術文献】
【特許文献】
【０００３】
【特許文献１】特開２０１０−１７８８１号公報
【発明の概要】
【発明が解決しようとする課題】
【０００４】
ところで、上記従来の技術は、個人情報等を記入した後に隠しているが、記入しているときから、記入後にスタンプを押すまでは、隠すことができなかった。また、氏名の姓、氏名の名、住所の都道府県、住所の詳細情報、電話番号、性別等の情報の種類または情報の内容等によって、情報に対する要求されるセキュリティのレベルは様々である。さらに、作業内容、作業者、使用状況等によっても、情報に対する要求されるセキュリティのレベルは様々である。しかし、従来の技術では、これら様々な内容、用途に応じて視認性の阻害を調節することが難しかった。
【０００５】
そこで、本発明は上記の問題点等に鑑みて為されたもので、その課題の一例は、視認性を調節できる記入体等を提供することを目的とする。
【課題を解決するための手段】
【０００６】
上記の課題を解決するために、請求項１に記載の発明は、記入情報を記入する記入体において、空隙を有する複数のパターンを重ねることによって、前記記入情報に要求される視認性のレベルが調節され、前記記入情報が記入される記入領域に、前記視認性のレベルに応じて前記パターンが予め作成されたことを特徴とする。
【０００７】
また、請求項２に記載の発明は、請求項１に記載の記入体において、前記パターンが、記号が並べられたパターンであることを特徴とする。
【０００８】
また、請求項３に記載の発明は、請求項１または請求項２に記載の記入体において、前記パターンを構成する色が、前記記入情報に要求される視認性のレベルに応じて決定されたことを特徴とする。
【０００９】
また、請求項４に記載の発明は、請求項３に記載の記入体において、前記パターンを構成する色が、前記記入領域を照らす照明手段の光の色と、前記記入情報に要求される視認性のレベルとに応じて決定されたことを特徴とする。
【００１０】
また、請求項５に記載の発明は、空隙を有し、記入情報を記入する記入体に作成されるパターンであって、当該パターンを複数重ねることによって、前記記入情報に要求される視認性のレベルが調節され、前記記入情報が記入される前記記入体の記入領域の前記視認性のレベルに応じて、前記視認性のレベルが調整された前記パターンを取得するパターン取得手段と、前記記入領域に前記取得したパターンを有する記入体を作成する記入体作成手段と、を備えたことを特徴とする。
【００１１】
また、請求項６に記載の発明は、空隙を有し、記入情報を記入する記入体に作成されるパターンであって、当該パターンを複数重ねることによって、前記記入情報に要求される視認性のレベルが調節され、パターン取得手段が、前記記入情報が記入される前記記入体の記入領域の前記視認性のレベルに応じて、前記視認性のレベルが調整された前記パターンを取得するパターン取得ステップと、記入体作成手段が、前記記入領域に前記取得したパターンを有する記入体を作成する記入体作成ステップと、を含むことを特徴とする。
【００１２】
また、請求項７に記載の発明は、空隙を有し、記入情報を記入する記入体に作成されるパターンであって、当該パターンを複数重ねることによって、前記記入情報に要求される視認性のレベルが調節されるパターンにおいて、コンピュータを、前記記入情報が記入される前記記入体の記入領域の前記視認性のレベルに応じて、前記視認性のレベルが調整された前記パターンを取得するパターン取得手段と、前記記入領域に前記取得したパターンを有する記入体を作成する記入体作成手段として機能させることを特徴とする。
【発明の効果】
【００１３】
本発明によれば、空隙を有する複数のパターンを重ねることによって視認性のレベルが調整できるパターンが記入領域に予め作成された記入体に、ユーザが記入した場合、記入情報の視認性のレベルが調節できる。
【図面の簡単な説明】
【００１４】
【図１】本発明の実施形態に係る記入体作成システムの概要構成例を示す模式図である。
【図２】図１の記入体作成装置の概要構成の一例を示すブロック図である。
【図３】第１実施形態の記入体の作成の動作例を示すフローチャートである。
【図４Ａ】マスクパターンの一例を示す模式図である。
【図４Ｂ】マスクパターンの一例を示す模式図である。
【図４Ｃ】マスクパターンの一例を示す模式図である。
【図４Ｄ】マスクパターンの一例を示す模式図である。
【図５Ａ】重畳されたマスクパターンの一例を示す模式図である。
【図５Ｂ】重畳されたマスクパターンの一例を示す模式図である。
【図５Ｃ】重畳されたマスクパターンの一例を示す模式図である。
【図６Ａ】記入領域に作成されたマスクパターンの一例を示す模式図である。
【図６Ｂ】記入領域に作成されたマスクパターンの一例を示す模式図である。
【図７Ａ】記入情報が記入領域に記入された一例を示す模式図である。
【図７Ｂ】記入情報が記入領域に記入された一例を示す模式図である。
【図７Ｃ】記入情報が記入領域に記入された一例を示す模式図である。
【図７Ｄ】記入情報が記入領域に記入された一例を示す模式図である。
【図８Ａ】記入情報が記入領域に記入された一例を示す模式図である。
【図８Ｂ】記入情報が記入領域に記入された一例を示す模式図である。
【図８Ｃ】記入情報が記入領域に記入された一例を示す模式図である。
【図９Ａ】記入情報が記入領域に記入された一例を示す模式図である。
【図９Ｂ】記入情報が記入領域に記入された一例を示す模式図である。
【図１０Ａ】色付きマスクパターンの一例を示す模式図である。
【図１０Ｂ】色付きマスクパターンの一例を示す模式図である。
【図１１Ａ】重畳された色付きマスクパターンの一例を示す模式図である。
【図１１Ｂ】重畳された色付きマスクパターンの一例を示す模式図である。
【図１２】第２実施形態の記入体の作成の動作例を示すフローチャートである。
【図１３Ａ】記入領域に作成された色付きマスクパターンの一例を示す模式図である。
【図１３Ｂ】記入領域に作成された色付きマスクパターンの一例を示す模式図である。
【図１４Ａ】記入情報が記入領域に記入された一例を示す模式図である。
【図１４Ｂ】記入情報が記入領域に記入された一例を示す模式図である。
【図１４Ｃ】記入情報が記入領域に記入された一例を示す模式図である。
【図１４Ｄ】記入情報が記入領域に記入された一例を示す模式図である。
【図１５Ａ】記入情報が記入領域に記入された一例を示す模式図である。
【図１５Ｂ】記入情報が記入領域に記入された一例を示す模式図である。
【図１５Ｃ】記入情報が記入領域に記入された一例を示す模式図である。
【図１５Ｄ】記入情報が記入領域に記入された一例を示す模式図である。
【図１６】第３実施形態における照明装置および記入体の一例を示す模式図である。
【図１７Ａ】記入情報が記入領域に記入された一例を示す模式図である。
【図１７Ｂ】記入情報が記入領域に記入された一例を示す模式図である。
【図１８Ａ】各記入領域に作成されたマスクパターンの変形例を示す模式図である。
【図１８Ｂ】各記入領域に作成された色付きマスクパターンの変形例を示す模式図である。
【発明を実施するための形態】
【００１５】
以下、図面を参照して本発明の実施形態について説明する。なお、以下に説明する実施の形態は、記入体作成システムに対して本発明を適用した場合の実施形態である。
【００１６】
（第１実施形態）
［１．記入体作成システムの構成および機能概要］
（１．１  記入体作成システムの構成および機能）
まず、本発明の一実施形態に係る記入体作成システムの構成および概要機能について、図１を用いて説明する。
【００１７】
図１は、本発明の実施形態に係る記入体作成システムの概要構成例を示す模式図である。
【００１８】
図１に示すように、記入体作成システム１は、印刷物等の記入体ｄを作成する記入体作成装置１０と、記入体ｄを出力する印刷装置２０と、を備えている。
【００１９】
記入体ｄは、例えば、契約書等の申込書類、アンケート用紙で、ユーザが後から、記入情報を記入する記入領域を有する。記入領域の一例として、氏名を記入する欄、住所を記入する欄、性別を記入する欄、生年月日を記入する欄、アンケートの回答欄等が挙げられる。
【００２０】
記入体ｄの一例として、紙等に情報が印刷された印刷物が挙げられる。なお、印刷装置２０の代わりに、画像を表示する表示装置でもよく、記入体は、ディスプレイに表示された画面、ディスプレイ自体でもよい。
【００２１】
記入体作成装置１０は、空隙を有し、記入体ｄの記入領域に作成されるマスクパターン（パターンの一例）であって、少なくとも１つのマスクパターンを重ねることによって、記入情報に要求される視認性のレベルが調節されたマスクパターンを取得する。記入体作成装置１０は、記入領域に、取得したマスクパターンを有する記入体ｄを作成する。記入体ｄの記入領域には、視認性のレベルに応じて少なくとも１つのマスクパターンが予め作成される。
【００２２】
マスクパターンは、例えば、ランダムな文字列が、空白の記入領域の中を覆って埋めるように、作成される。なお、マスクパターンについては、詳細に後述する。
【００２３】
ここで、視認性のレベルとは、例えば、全く視認性が阻害されていないレベル、一瞥して分かるレベル、凝視して分かるレベル（一瞥では分からないレベル）、判別不可能なレベル等の４段階である。なお、さらに細かくレベル分けしてもよい。例えば、平均１秒で分かるレベル、平均３秒で分かるレベル、平均５秒で分かるレベル、平均１０秒で分かるレベル、平均３０秒以上で分かるレベル等である。また、重ねるマスクパターンの空隙率により、視認性のレベルを分けてもよい。視認性のレベルは、視認を阻害する視認阻害レベルに対応する。
【００２４】
また、記入欄に記入される記入情報に応じて、セキュリティレベルが設定されている。各項目に対するセキュリティレベルは、最重要情報、重要情報、秘匿不要情報等に応じたレベル分けがされている。
【００２５】
視認性のレベルは、セキュリティレベルに対応させてもよい。セキュリティレベルが最も高い項目は、判別不可能なレベルというように視認性のレベルを低くする。セキュリティレベルが中程度の項目は、凝視して分かる視認性のレベルにする。セキュリティレベルが低い項目は、凝視しなくても分かる視認性レベルにする。
【００２６】
印刷装置２０は、例えば、シルクスクリーン印刷装置、オフセット印刷装置、グラビア印刷装置、活版印刷装置、インクジェット方式の印刷装置、レーザ方式の印刷装置、再転写方式の印刷装置である。また、印刷装置２０は、枚葉印刷方式、連続印刷方式でもよい。
【００２７】
印刷装置２０は、紙等の対象物に、記入体のレイアウトを印刷すると共に、記入情報に要求される視認性のレベルに応じて、視認性を調節するパターンを印刷して、記入体を出力する。
【００２８】
記入体作成装置１０、および、印刷装置２０は、ネットワークを介して、例えば、通信プロトコルにＴＣＰ／ＩＰ等を用いて相互にデータの送受信が可能になっていてもよい。なお、ネットワークは、例えば、ローカルエリアネットワーク、インターネット、専用通信回線（例えば、ＣＡＴＶ（Community Antenna Television）回線）、移動体通信網、およびゲートウェイ等により構築されている。
【００２９】
（１．２  記入体作成装置１０の構成および機能）
次に、記入体作成装置１０の構成および機能について、図２を用いて説明する。
【００３０】
図２は、記入体作成装置１０の概要構成の一例を示すブロック図である。
【００３１】
図２に示すように、コンピュータである記入体作成装置１０は、記入体作成装置１０を制御する制御部１１と、データを記憶する記憶部１２と、印刷装置２０等と通信する通信部１３と、情報を画面表示する出力部１４と、入力を受け付ける操作部１５と、を備えている。
【００３２】
制御部１１は、例えば、ＣＰＵ（Central Processing Unit）と、ＲＯＭ（Read Only Memory）と、ＲＡＭ（Random Access Memory）とを有する。制御部１１は、ＣＰＵが、ＲＯＭや、ＲＡＭに記憶された各種制御プログラムを読み出して実行する。制御部１１が、記入体作成装置１０の記憶部１２等の各部を制御する。なお、これらのプログラムを記憶した記録媒体等を制御部１１が読み出し実行してもよい。
【００３３】
記憶部１２は、例えば、ハードディスクドライブ、シリコンディスク等により構成されている。記憶部１２には、各種の記入体のレイアウト情報や、視認性のレベルに応じて生成されたマスクパターンの画像データ等が記憶されている。レイアウト情報は、各記入欄のセキュリティレベルの情報を含む。
【００３４】
また、記憶部１２には、オペレーティングシステムおよびサーバプログラム等の各種プログラムが記憶されていてもよい。なお、各種プログラムは、例えば、他のサーバ等からネットワークを介して取得されるようにしてもよいし、記録媒体に記録されてドライブ装置を介して読み込まれるようにしてもよい。
【００３５】
通信部１３は、印刷装置２０との通信を制御する。通信部１３は、ネットワークに接続してもよい。
【００３６】
出力部１４は、例えば、液晶表示素子またはＥＬ（Electro Luminescence）素子等によって構成されている。
【００３７】
操作部１５は、例えばキーボードおよびマウス等によって構成されている。  
【００３８】
［２．記入体作成システムの動作］
（２．１  記入体作成システムの動作）
次に、本発明の第１実施形態に係る記入体作成システムの動作について図３から図６を用いて説明する。
【００３９】
図３は、第１実施形態の記入体の作成の動作例を示すフローチャートである。図４Ａから図４Ｄは、マスクパターンの一例を示す模式図である。図５Ａから図５Ｃは、重畳されたマスクパターンの一例を示す模式図である。図６Ａから図６Ｂは、記入領域に作成されたマスクパターンの一例を示す模式図である。
【００４０】
図３に示すように、記入体作成装置１０は、記入体のレイアウト情報を取得する（ステップＳ１）。具体的には、記入体作成装置１０の制御部１１が、記憶部１２から、作成する記入体のレイアウト情報を取得する。
【００４１】
次に、記入体作成装置１０は、記入領域のセキュリティレベルに応じてマスクパターンを取得する（ステップＳ２）。具体的には、制御部１１が、氏名、住所等の各記入領域に要求されるセキュリティレベル（視認性のレベル）に応じて、記憶部１２からマスクパターンの画像データを取得する。
【００４２】
ここで、マスクパターンは、例えば、ランダムな文字列から生成される。図４Ａから図４Ｄに示すように、記号の一例である、英数字、特殊記号等を含む文字列を、所定の枠内を埋め尽くすように、マスクパターンが生成される。マスクパターンは、図４Ｂに示すように、フォントサイズを変えたり、図４Ｃに示すように、縦書きにしたり、図４Ｄに示すように、文字を上下逆向きにした文字列でもよい。また、記号の一例である文字の字体を変えてもよい。また、マスクパターンは、モザイク画像でもよい。マスクパターンは、一定の空隙を有すればよい。制御部１１が、マスクパターンを生成してもよい。
【００４３】
マスクパターンは、重畳することにより、氏名、住所等の記入情報に要求される視認性のレベルが調節される。
【００４４】
マスクパターンを２重に重畳した一例として、図４Ａのマスクパターンと図４Ｂのマスクパターンとを重畳した、図５Ａに示すような画像の重畳用パターンが挙げられる。マスクパターンを３重に重畳した一例として、図５Ａの重畳したマスクパターンと図４Ｃのマスクパターンとを重畳した、図５Ｂに示すような画像（すなわち、図４Ａから図４Ｃのマスクパターンを重畳した画像）の重畳用パターンが挙げられる。さらに、重畳用パターンを４重に重畳した一例として、図５Ｂの重畳したマスクパターンと図１４Ｄのマスクパターンとを重畳した、図５Ｃに示すような画像（すなわち、図４Ａから図４Ｄのマスクパターンを重畳した画像）の重畳したマスクパターンが挙げられる。
【００４５】
これらのマスクパターンは、記憶部１２に記憶されてもよいし、制御部１１が処理毎に生成してもよい。これらのマスクパターンは、外部のサーバ装置等から取得してもよい。
【００４６】
次に、記入体作成装置１０は、記入体を作成する（ステップＳ３）。具体的には、制御部１１が、印刷物のレイアウト情報に基づいた印刷用のデータを生成する。この印刷用のデータは、セキュリティレベルに応じて、記入欄にマスクパターンが含むような構成になっている。
【００４７】
次に、制御部１１が、印刷装置２０に印刷用のデータを送信する。印刷装置２０が、印刷用のデータに基づき、記入体ｄを作成する。
【００４８】
例えば、図６Ａに示すように、氏名の記入領域ｒ１に、マスクパターンを有する印刷物が、作成される。図６Ｂに示すように、住所の記入領域ｒ２に、マスクパターンを有する印刷物が、作成される。
【００４９】
（２．２  記入体の使用例）
次に、記入体の利用例について、図７から図９を用いて説明する。
【００５０】
図７Ａから図９Ｂは、記入情報が記入領域に記入された一例を示す模式図である。
【００５１】
図７Ａに示すように、氏名欄の記入領域ｒ３に、図４Ａに対応する重畳度が１のマスクパターンが予め作成されている印刷物に、文字「大日本太郎」が、ペン等で記入された場合、記入情報が、一瞥では分かりにくくなっている。
【００５２】
図７Ｂに示すように、氏名欄の記入領域ｒ３に、図４Ｂに対応する重畳度が１のマスクパターンが予め作成されている印刷物に、文字「大日本太郎」が、ペン等で記入された場合、記入情報が、一瞥では分かりにくくなっている。
【００５３】
図７Ｃに示すように、氏名欄の記入領域ｒ３に、図４Ｃに対応する重畳度が１のマスクパターンが予め作成されている印刷物に、文字「大日本太郎」が、ペン等で記入された場合、記入情報が、一瞥では分かりにくくなっている。
【００５４】
図７Ｄに示すように、氏名欄の記入領域ｒ３に、図４Ｄに対応する重畳度が１のマスクパターンが予め作成されている印刷物に、文字「大日本太郎」が、ペン等で記入された場合、記入情報が、一瞥では分かりにくくなっている。
【００５５】
なお、図７Ａから図７Ｄにおいて、パターンによって、人によって多少の視認性の違いがあることもある。
【００５６】
図８Ａに示すように、氏名欄の記入領域ｒ３に、図５Ａに対応する重畳度が２のマスクパターンが予め作成されている印刷物に、文字「大日本太郎」が、ペン等で記入された場合、記入情報が、一瞥では分かりにくくなっていて、凝視して、記入情報が分かる。
【００５７】
図８Ｂに示すように、氏名欄の記入領域ｒ３に、図５Ｂに対応する重畳度が３のマスクパターンが予め作成されている印刷物に、文字「大日本太郎」が、ペン等で記入された場合、記入情報が、一瞥でかなり分かりにくくなっていて、凝視しても判読不能になっている。
【００５８】
図８Ｃに示すように、氏名欄の記入領域ｒ３に、図５Ｃに対応する重畳度が４のマスクパターンが予め作成されている印刷物に、文字「大日本太郎」が、ペン等で記入された場合、記入情報が記入されたかも判別が難しくなっている。
【００５９】
図９Ａに示すように、氏名欄の記入領域ｒ１に、文字「大日本太郎」が、ペン等で記入された場合、記入情報が、一瞥でかなり分かりにくくなっている。
【００６０】
図９Ｂに示すように、住所欄の記入領域ｒ２に、文字「東京都 新宿区 市ヶ谷１丁目１番１号」が、ペン等で記入された場合、記入情報が、一瞥でかなり分かりにくくなっている。
【００６１】
以上、本実施形態によれば、空隙を有する複数のパターンを重ねることによって視認性のレベルが調整できるパターンが記入領域ｒ１、ｒ２、ｒ３に予め作成された記入体ｄに、ユーザが記入したとき、記入情報の視認性のレベルが調節できる。
【００６２】
マスクパターンが、記号が並べられたパターンである場合、記号に目が行き、一見して、より読みにくくなる。
【００６３】
［３．他の実施形態］
次に、本願の他の実施形態に係る記入体作成システムについて説明する。
【００６４】
なお、前記第１実施形態と同一または対応する部分には、同一の符号を用いて異なる構成および作用のみを説明する。その他の実施形態および変形例も同様とする。
【００６５】
（３．１  第２実施形態のマスクパターンの変形例）
第２実施形態では、色付きのマスクパターンを用いる。色付きマスクパターンについて、図１０Ａから図１１Ｂを用いて説明する。
【００６６】
図１０Ａおよび図１０Ｂは、色付きマスクパターンの一例を示す模式図である。図１１Ａから図１１Ｂは、重畳された色付きマスクパターンの一例を示す模式図である。
【００６７】
図１０Ａおよび図１０Ｂに示すように、パターンの一例のマスクパターンが色つきであってもよい。マスクパターンが、少なくとも１の色で形成されたパターンにより形成されている。
【００６８】
図１０Ａは、図４Ａのマスクパターンを青色にしたマスクパターンである。例えば、図１０Ａに示すように、英数字、特殊記号等を含む青色の文字列から、白の背景に青色のマスクパターンが生成される。
【００６９】
図１０Ｂは、図４Ｂのマスクパターンを赤色にしたマスクパターンである。例えば、図１０Ｂに示すように、英数字、特殊記号等を含む赤色の文字列から、白の背景に赤色のマスクパターンが生成される。
【００７０】
なお、マスクパターンの色は、原色でも中間色でもよい。また、生成される文字毎に色を変えてもよい。
【００７１】
図１１Ａに示すように、色つきのマスクパターンを２重に重畳した一例として、図１０Ａの青色のマスクパターンと図１０Ｂの赤色のマスクパターンとを重畳したマスクパターンが挙げられる。図１１Ａに示すように、青色のマスクパターンの上に、赤色のマスクパターンを重ねた場合、青色の記号の一部が消えて、赤色の記号の一部が載ることになる。
【００７２】
色つきの重畳用パターンを３重に重畳した一例として、図１１Ａのマスクパターンと緑色のマスクパターンとを重畳した、図１１Ｂに示すようなマスクパターンが挙げられる。図１１Ｂに示すように、２重のマスクパターンの上に、緑色のマスクパターンを重ねた場合、２重のマスクパターンの記号の一部が消えて、緑色の記号の一部が載ることになる。
【００７３】
重ねる順番は、逆でもよく、例えば、図１０Ｂの赤色のマスクパターンの上に、図１０Ａの青色のマスクパターンを重畳してもよい。この場合、赤色の記号の一部が消えて、青色の記号の一部が載ることになる。記号同士が重なった部分は、中間色（例えば、赤色と青色の混合色である紫色）にしてもよい。
【００７４】
これらのマスクパターンは、記憶部１２に記憶されてもよいし、制御部１１が処理毎に生成してもよい。これらのマスクパターンは、外部のサーバ装置等から取得してもよい。
【００７５】
（３．２  第２実施形態の記入体の作成の動作例）
次に、第２実施形態の記入体の作成の動作例について、図１２から図１３Ｂを用いて説明する。
【００７６】
図１２は、第２実施形態の記入体の作成の動作例を示すフローチャートである。図１３Ａおよび図１３Ｂは、記入領域に作成された色付きマスクパターンの一例を示す模式図である。
【００７７】
図１２に示すように、記入体作成装置１０は、ステップＳ１のように、記入体のレイアウト情報を取得する（ステップＳ１０）。
【００７８】
次に、記入体作成装置１０は、記入領域のセキュリティレベルに応じて、マスクパターンの色を決定する（ステップＳ１１）。例えば、ペンの色が黒で、マスクパターンの色が明るい場合、記入された文字の視認性が向上し、セキュリティレベルが下がる。一方、ペンの色が黒で、マスクパターンの色が暗い場合、記入された文字の視認性が下がり、セキュリティレベルが上がる。
【００７９】
また、マスクパターンの色が、ペンの色と補色の関係にある場合、記入された文字の視認性が向上し、セキュリティレベルが下がる。
【００８０】
ペンの色が黒で、マスクパターンが重畳される場合、セキュリティレベルを少し上げたいとき、明るい色のマスクパターンを重畳し、セキュリティレベルをより上げたいとき、暗い色のマスクパターンを重畳する。
【００８１】
また、マスクパターンが重畳される場合、セキュリティレベルを少し上げたいとき、補色関係にある色のマスクパターンを重畳し、セキュリティレベルをより上げたいとき、補色関係から離れた色のマスクパターンを重畳する。
【００８２】
マスクパターンの色によっても視認性を調整でき、黒１色のマスクパターンに比べて、視認性の調整の幅が広がり、視認性の段階をより細かく設定できる。
【００８３】
次に、記入体作成装置１０は、記入領域のセキュリティレベルに応じて、色付きのマスクパターンを取得する（ステップＳ１２）。記入体作成装置１０の制御部１１は、ステップＳ２の処理と比べて、記入領域のセキュリティレベルに合わせて、色付きのマスクパターンを組み合わせて、視認性の段階をより細かく調整する。
【００８４】
次に、記入体作成装置１０は、ステップＳ３のように、記入体を作成する（ステップＳ１３）。
【００８５】
（３．３  第２実施形態の記入体の利用例）
次に、第２実施形態の記入体の利用例について、図１４Ａから図１５Ｄを用いて説明する。
【００８６】
図１４Ａから図１５Ｄは、記入情報が記入領域に記入された一例を示す模式図である。
【００８７】
図１５Ａに示すように、氏名欄の記入領域ｒ３に、図１０Ａに対応する重畳度が１の青色のマスクパターンが予め作成されている印刷物に、文字「大日本太郎」が、黒のペン等で記入された場合、図７Ａの黒色のマスクパターンに比べて、記入情報の視認性が多少向上している。
【００８８】
図１５Ｂに示すように、氏名欄の記入領域ｒ３に、図１０Ｂに対応する重畳度が１の赤色のマスクパターンが予め作成されている印刷物に、文字「大日本太郎」が、黒色のペン等で記入された場合、図１４の青色のマスクパターンの場合に比べて、記入情報の視認性が多少向上している。
【００８９】
図１４Ｃは、氏名欄の記入領域ｒ３に、図１０Ａに対応する重畳度が１の青色のマスクパターンが予め作成されている印刷物に、文字「大日本太郎」が、赤色のペン等で記入された場合である。
【００９０】
図１４Ｄに示すように、氏名欄の記入領域ｒ３に、図１０Ｂに対応する重畳度が１の赤色のマスクパターンが予め作成されている印刷物に、文字「大日本太郎」が、赤色のペン等で記入された場合、１４Ｂの黒色のペンで記入された場合と比べて、記入情報の視認性が低回している。
【００９１】
なお、図１４Ａから図１４Ｄにおいて、パターンによって、人によって多少の視認性の違いがあることもある。
【００９２】
図１５Ａに示すように、氏名欄の記入領域ｒ３に、図１１Ａに対応する重畳度が２のマスクパターン（青色と赤色のマスクパターンを重ね合わせたマスクパターン）が予め作成されている印刷物に、文字「大日本太郎」が、黒色のペン等で記入された場合、図８Ａの黒色の重畳度２のマスクパターンに比べて、記入情報の視認性が向上している。
【００９３】
図１５Ｂは、氏名欄の記入領域ｒ３に、図１１Ｂに対応する重畳度が３のマスクパターンが予め作成されている印刷物に、文字「大日本太郎」が、黒色のペン等で記入された場合である。
【００９４】
図１５Ｃは、氏名欄の記入領域ｒ３に、図１１Ａに対応する重畳度が２のマスクパターンが予め作成されている印刷物に、文字「大日本太郎」が、赤色のペン等で記入された場合である。
【００９５】
図１５Ｄは、氏名欄の記入領域ｒ３に、図１１Ｂに対応する重畳度が３のマスクパターンが予め作成されている印刷物に、文字「大日本太郎」が、赤色のペン等で記入された場合である。
【００９６】
図１５Ｃと図１５Ｄとを比べると、図１５Ｃの場合、赤色のマスクパターンに影響で、図１５Ｃの場合の視認性が低くなっている。
【００９７】
本実施形態によれば、マスクパターンを構成する色が、記入情報に要求される視認性のレベルに応じて決定され、パターンを構成する色により、視認性をより細かく調整できる。
【００９８】
マスクパターンが、少なくとも１の色で形成されたパターンであり、記入情報に要求される視認性のレベルに応じて、少なくとも１の色で形成されたパターンを少なくとも一つ取得する場合、マスクパターンの色によっても視認性を調整できる。従って、視認性の調整の幅が広がる。また、視認性の段階をより細かく設定できる。例えば、黒色以外の有色のマスクパターンにより、単色（例えば、黒色）のマスクパターンのみの場合に比較して、視認性の段階を一部、埋めることができる。
【００９９】
（３．４  第３実施形態）
次に、照明の光の色により、視認性のレベルを変える第３実施形態について、図１６から図１７Ｂを用いて説明する。
【０１００】
図１６は、第３実施形態における照明装置および記入体の一例を示す模式図である。図１７Ａおよび図１７Ｂは、記入情報が記入領域に記入された一例を示す模式図である。
【０１０１】
図１６に示すように、記入情報が既に記入された記入体ｄに対して照明装置５からの光が当てられている。
【０１０２】
照明装置５は、例えば、ＬＥＤ照明、蛍光灯、白熱灯、ナトリウムランプ、水銀ランプ等である。照明装置５は、所定の波長成分の光を放出し、この光のスペクトルに対応した照明色で、記入体ｄを照らす。照明装置５からの光の色により、マスクパターンの色と記入情報の色との組み合わせに応じて視認性が変更される。
【０１０３】
記入体として、反射型のカラー液晶素子を有し、外光を光源とする反射型のディスプレイでもよい。なお、記入体としてのディスプレイは、反射型および透過型を組み合わせたディスプレイであってもよく、照明装置５により白色以外の所定の色の光りを照明する場合、反射型のみが機能するようにしてもよい。
【０１０４】
ここで、例えば、２４色相環の場合、低圧ナトリウムランプの照明により、色相番号１３−１８の色（色相番号１７、１８が青色）および黒色が黒色になり、色相番号１１、１２、１９、２０、２１、２２の色（色相番号１２の色が緑色）がダークブラウンになり、色相番号１、２、１０、２３、２４の色（色相番号２の色が赤色、色相番号１０の色が黄緑色、色相番号２２の色が紫色）がライトブラウンになり、色相番号３、９の色がダークイエローになり、色相番号４−８の色（色相番号５の色が橙色、色相番号８の色が黄色）および白色がライトイエローになる。
【０１０５】
所定の照明色において、視認性レベルを下げたい場合、例えば、背景色が白色、記入情報が黒色で、青色、緑色等のマスクパターンであると、ナトリウムランプのように黄色っぽい照明色の下では、記入情報とマスクパターンとのコントラストが低下して、視認性が低下する。
【０１０６】
所定の照明色において、視認性レベルを上げたい場合、例えば、背景色が白色、記入情報が黒色で、橙色、黄色等のマスクパターンのであると、ナトリウムランプのように黄色っぽい照明色の下では、マスクパターンが、背景色に近くなり、視認性が向上しやすい。また、記入情報が白色で、青色、緑色等のマスクパターンであると、ナトリウムランプのように黄色っぽい照明色の下では、視認性が向上しやすい。
【０１０７】
なお、記入体作成装置１０は、ステップＳ１１の代わりに、記入領域のセキュリティレベルと照明色とに応じて、マスクパターンの色を決定する。
【０１０８】
図１７Ａに示すように、青色のマスクパターンと緑色のマスクパターンとを重畳したマスクパターンが氏名の記入領域ｒ１に作成された記入体に、文字「大日本太郎」が、黒色のペン等で記入されている。
【０１０９】
図１７Ｂに示すように、青色のマスクパターンと緑色のマスクパターンとを重畳したマスクパターンが住所欄の記入領域ｒ２に作成された記入体に、文字「東京都 新宿区 市ヶ谷１丁目１番１号」が、黒色のペン等で記入されている。
【０１１０】
なお、反射型のディスプレイの場合、黒色の文字が重畳される。
【０１１１】
図１７Ａおよび図１７Ｂに示すように、照明装置５が白色光の場合、これら記入された文字は、マスクパターンがない状態に比べて、視認性が低下している。
【０１１２】
一方、図１７Ａおよび図１７Ｂに示すように、照明装置５がナトリウムランプの場合、これら記入された文字の視認性が、白色光の場合に比べ、より視認性が低下している。
【０１１３】
白色のペン等で記入されている場合は、ナトリウムランプ等により、黒く見えるマスクパターンに対して、記入情報が黄色に見えて、黒色のペン等で記入された場合に比べて、視認性が向上する。
【０１１４】
本実施形態によれば、パターンを構成する色が、記入領域を照らす照明装置５の光の色と記入情報に要求される視認性のレベルとに応じて決定された場合、記入体ｄが置かれた照明の環境に応じて、視認性を調節できる。
【０１１５】
また、セキュリティを高めたい場合、視認性を低下させる、パターンを構成する色と照明の色との組み合わせにより、セキュリティを向上できる。
【０１１６】
また、照明装置５の光の色により、マスクパターンと記入情報とのコントラストが強調されたり、逆にコントラストが減少したり、記入情報の視認性を調整できる。また、多色のマスクパターンの場合、照明装置５の光の色により、マスクパターンの各色に応じて、部分的に見え方が異なり、視覚上強調されたり、強調されなかったりすることで、記入情報の視認性を調整できる。
【０１１７】
また、個人情報等の視認性を阻害することで、記入情報を確認する作業者の記憶に基づく情報漏洩を防ぐことができる。
【０１１８】
また、記入体を各工程で順に作業をして行く場合、凝視すれば見える程度ならば、何かしらの不備が発見された場合、記入体に対する確認のため、前の工程を戻したりせずに、その場で、作業を進行することができる。
【０１１９】
（３．５  他の変形例）
次に、記入領域毎に、マスクパターンを変えた変形例について、図１８Ａおよび図１８Ｂを用いて説明する。
【０１２０】
図１８Ａおよび図１８Ｂは、各記入領域に作成されたマスクパターンの変形例を示す模式図である。
【０１２１】
図１８Ａに示すように、氏名の氏の記入領域ｒ４には、セキュリティレベルを上げるために重畳度１のマスクパターンが作成され、氏名の名の記入領域ｒ５には、さらにセキュリティレベルを上げるために重畳度２のマスクパターンが作成され、住所の都道府県の記入領域ｒ６には、マスクパターンが作成されず（重畳度０）、住所の市町村の記入領域ｒ７には、セキュリティレベルを上げるために重畳度１のマスクパターンが作成され、住所の番地の記入領域ｒ８には、さらにセキュリティレベルを上げるために重畳度２のマスクパターンが作成され、住所の号の記入領域ｒ９には、空隙率の低い重畳度１のマスクパターンが作成されてもよい。
【０１２２】
図１８Ｂに示すように、色付きのマスクパターンでもよい。
【０１２３】
図１８Ｂに示すように、氏名の氏の記入領域ｒ４には、重畳度１の青色のマスクパターンが作成され、氏名の名の記入領域ｒ５には、青色、赤色、緑色の重畳度３のマスクパターンが作成され、住所の都道府県の記入領域ｒ６には、マスクパターンが作成されず（重畳度０）、住所の市町村の記入領域ｒ７には、重畳度１の青色のマスクパターンが作成され、住所の番地の記入領域ｒ８および住所の号の記入領域ｒ９には、青色、赤色、緑色の重畳度３のマスクパターンが作成されてもよい。
【符号の説明】
【０１２４】
１：記入体作成システム
１０：記入体作成装置
１１：制御部
ｄ：記入体
ｒ１、ｒ２、ｒ３、ｒ４、ｒ５、ｒ６、ｒ７、ｒ８、ｒ９：記入領域
【図１】
2019064020.tif 000003
【図２】
2019064020.tif 000004
【図３】
2019064020.tif 000005
【図４Ａ】
2019064020.tif 000006
【図４Ｂ】
2019064020.tif 000007
【図４Ｃ】
2019064020.tif 000008
【図４Ｄ】
2019064020.tif 000009
【図５Ａ】
2019064020.tif 000010
【図５Ｂ】
2019064020.tif 000011
【図５Ｃ】
2019064020.tif 000012
【図６Ａ】
2019064020.tif 000013
【図６Ｂ】
2019064020.tif 000014
【図７Ａ】
2019064020.tif 000015
【図７Ｂ】
2019064020.tif 000016
【図７Ｃ】
2019064020.tif 000017
【図７Ｄ】
2019064020.tif 000018
【図８Ａ】
2019064020.tif 000019
【図８Ｂ】
2019064020.tif 000020
【図８Ｃ】
2019064020.tif 000021
【図９Ａ】
2019064020.tif 000022
【図９Ｂ】
2019064020.tif 000023
【図１０Ａ】
2019064020.tif 000024
【図１０Ｂ】
2019064020.tif 000025
【図１１Ａ】
2019064020.tif 000026
【図１１Ｂ】
2019064020.tif 000027
【図１２】
2019064020.tif 000028
【図１３Ａ】
2019064020.tif 000029
【図１３Ｂ】
2019064020.tif 000030
【図１４Ａ】
2019064020.tif 000031
【図１４Ｂ】
2019064020.tif 000032
【図１４Ｃ】
2019064020.tif 000033
【図１４Ｄ】
2019064020.tif 000034
【図１５Ａ】
2019064020.tif 000035
【図１５Ｂ】
2019064020.tif 000036
【図１５Ｃ】
2019064020.tif 000037
【図１５Ｄ】
2019064020.tif 000038
【図１６】
2019064020.tif 000039
【図１７Ａ】
2019064020.tif 000040
【図１７Ｂ】
2019064020.tif 000041
【図１８Ａ】
2019064020.tif 000042
【図１８Ｂ】
2019064020.tif 000043